(57)【特許請求の範囲】
【請求項１】
第一の展開図内における基準となる領域である基準領域に配置される画像を取得する画像取得手段と、
前記画像が配置される第二の展開図内の領域である配置領域への前記画像の配置規則であって、前記基準領域内における画像の配置を基準とする配置規則情報を取得する配置規則情報取得手段と、
前記画像取得手段が取得する画像が前記基準領域内における前記画像の配置を基準とする前記配置規則に従って前記配置領域に配置された展開図を表す展開図情報を出力する展開図情報出力手段と、
を含むことを特徴とする情報処理装置。
【請求項２】
前記画像取得手段が、前記基準領域に配置される複数の画像を取得し、
前記展開図情報出力手段が、前記各画像が、前記配置規則情報が示す配置規則に従った位置に配置された展開図を表す展開図情報を出力する、
ことを特徴とする請求項１に記載の情報処理装置。
【請求項３】
前記配置規則情報が示す配置規則が、前記取得手段が取得する画像毎に異なる、
ことを特徴とする請求項２に記載の情報処理装置。
【請求項４】
画像の変換規則を示す変換規則情報を取得する変換規則情報取得手段と、
前記変換規則情報と前記配置領域との組合せに基づいて、前記取得手段が取得する画像を変換する画像変換手段と、をさらに含み、
前記展開図情報出力手段が、前記画像変換手段による変換後の画像が前記配置領域に配置された展開図を表す展開図情報を出力する、
ことを特徴とする請求項１から３のいずれか一項に記載の情報処理装置。
【請求項５】
第一の展開図内における基準となる領域である基準領域に配置される画像を取得する画像取得手段、
前記画像が配置される第二の展開図内の領域である配置領域への前記画像の配置規則であって、前記基準領域内における画像の配置を基準とする配置規則情報を取得する配置規則情報取得手段、
前記画像取得手段が取得する画像が前記基準領域内における前記画像の配置を基準とする前記配置規則に従って前記配置領域に配置された展開図を表す展開図情報を出力する展開図情報出力手段、
としてコンピュータを機能させることを特徴とするプログラム。
【発明の詳細な説明】
【技術分野】
【０００１】
本発明は、情報処理装置及びプログラムに関する。
【背景技術】
【０００２】
展開図の作成を支援する技術が存在する。特許文献１には、紙器において固着に用いられる副板の、当該副板に隣接する主板から連続する一部領域にも、絵柄画像が配置されるようにすることで、紙器の完成状態では連続する画像が、レイアウト工程の段階では不連続な状態で配置される場合でも、下地部分の露出が抑制されるような紙器の印刷用画像データの生成を容易に行うことができる装置が開示されている。特許文献２には、展開図と３次元データとを対応付けて、ユーザが３次元上の面に画像を貼り付けていくことで、展開図に画像を貼り付けることができる３次元パッケージデザインシステムが開示されている。特許文献３には、指定された包材の仮想展開図に与えられる寸法値に基づいて、包材の展開図を含む台紙図面を生成することで、包材印刷用の版下を、正確、かつ簡便、迅速に作成するための装置が開示されている。
【先行技術文献】
【特許文献】
【０００３】
【特許文献１】特開２００８−３１０７４５号公報
【特許文献２】特開２０００−３４８０７０号公報
【特許文献３】特開平１０−２９３７８０号公報
【発明の概要】
【発明が解決しようとする課題】
【０００４】
本発明は、複数の展開図に配置される画像を複数の展開図それぞれに応じた態様で配置する際の利用者の手間が従来よりも低減される情報処理装置及びプログラムを提供することを目的とする。
【課題を解決するための手段】
【０００５】
請求項１に記載の発明は、情報処理装置であって、第一の展開図内における基準となる領域である基準領域に関連付けられている画像を取得する画像取得手段と、画像が配置される第二の展開図内の領域である配置領域への画像の配置規則を示す配置規則情報を取得する配置規則情報取得手段と、前記画像取得手段が取得する画像が前記配置規則に従って前記配置領域に配置された展開図を表す展開図情報を出力する展開図情報出力手段と、を含むこととしたものである。
【０００６】
請求項２に記載の発明は、請求項１に記載の情報処理装置であって、前記画像取得手段が、前記基準領域に関連付けられている複数の画像を取得し、前記展開図情報出力手段が、前記各画像が、前記配置規則情報が示す配置規則に従った位置に配置された展開図を表す展開図情報を出力することとしたものである。
【０００７】
請求項３に記載の発明は、請求項２に記載の情報処理装置であって、前記配置規則情報が示す配置規則が、前記取得手段が取得する画像毎に異なることとしたものである。
【０００８】
請求項４に記載の発明は、請求項１から３のいずれか一項に記載の情報処理装置であって、画像の変換規則を示す変換規則情報を取得する変換規則情報取得手段と、前記変換規則情報と前記配置領域との組合せに基づいて、前記取得手段が取得する画像を変換する画像変換手段と、をさらに含み、前記展開図情報出力手段が、前記画像変換手段による変換後の画像が前記配置領域に配置された展開図を表す展開図情報を出力することとしたものである。
【０００９】
請求項５に記載の発明は、プログラムであって、第一の展開図内における基準となる領域である基準領域に関連付けられている画像を取得する画像取得手段、画像が配置される第二の展開図内の領域である配置領域への画像の配置規則を示す配置規則情報を取得する配置規則情報取得手段、前記画像取得手段が取得する画像が前記配置規則に従って前記配置領域に配置された展開図を表す展開図情報を出力する展開図情報出力手段、としてコンピュータを機能させることとしたものである。
【発明の効果】
【００１０】
請求項１，５に記載の発明によれば、本構成を有しない場合と比較して、複数の展開図に配置される画像を複数の展開図それぞれに応じた態様で配置する際の利用者の手間が低減される。
【００１１】
請求項２に記載の発明によれば、複数の画像が配置される展開図内の領域に応じて、各画像が配置される位置が変化する。
【００１２】
請求項３に記載の発明によれば、複数の画像が配置される展開図内の領域に応じて、その領域内における各画像の位置関係が変化する。
【００１３】
請求項４に記載の発明によれば、変換規則情報が示す変換規則と画像が配置される展開図内の領域との組合せに応じた変換が行われた画像が展開図内の領域に配置される。
【図面の簡単な説明】
【００１４】
【図１】本発明の一実施形態に係る情報処理装置のハードウェア構成の一例を示す図である。
【図２】本発明の一実施形態に係る情報処理装置により実現される機能の一例を示す機能ブロック図である。
【図３】基本展開図情報の一例を示す図である。
【図４】第１応用展開図情報の一例を示す図である。
【図５】第２応用展開図情報の一例を示す図である。
【図６】基準画像の一例を示す図である。
【図７】配置変換規則情報の一例を示す図である。
【図８】配置済基本展開図情報の一例を示す図である。
【図９】第１配置済応用展開図情報の一例を示す図である。
【図１０】第２配置済応用展開図情報の一例を示す図である。
【図１１】変換画像が配置領域に配置される様子の一例を模式的に示す図である。
【図１２】基準画像の一例を示す図である。
【図１３】変換画像の一例を示す図である。
【発明を実施するための形態】
【００１５】
以下、本発明の一実施形態について図面に基づき詳細に説明する。
【００１６】
図１は、本実施形態に係る情報処理装置１０のハードウェア構成の一例を示す図である。図１に例示するように、本実施形態に係る情報処理装置１０は、例えば、制御部１２、記憶部１４、ユーザインタフェース（ＵＩ）部１６、を含んでいる。これらの要素は、例えば、バスを介して接続される。
【００１７】
制御部１２は、ＣＰＵなどのプログラム制御デバイスであり、情報処理装置１０にインストールされるプログラムに従って動作する。記憶部１４は、ＲＯＭやＲＡＭなどの記憶素子やハードディスクドライブなどである。記憶部１４には、制御部１２によって実行されるプログラムなどが記憶される。また、記憶部１４は、制御部１２のワークメモリとしても動作する。ＵＩ部１６は、タッチパネルや、液晶ディスプレイ及び入力用デバイス（キーボード、マウス等）等によって構成される。ＵＩ部１６は、制御部１２から入力される指示に従って、制御部１２から入力されるデータに基づく画面（例えば、ユーザに指示の入力を促すメニュー画面）を表示する。また、ＵＩ部１６は、ユーザからの指示の入力を受け入れて、その入力内容を制御部１２に出力する。
【００１８】
図２は、本実施形態に係る情報処理装置１０により実現される機能の一例を示す機能ブロック図である。図２に例示するように、情報処理装置１０は、本実施形態では、例えば、情報記憶部２０、取得部２２、画像変換部２４、画像配置部２６、展開図情報出力部２８、を含んでいる。情報記憶部２０は、記憶部１４を主として実現される。その他の要素は、制御部１２を主として実現される。
【００１９】
これらの要素は、コンピュータである情報処理装置１０にインストールされたプログラムを、情報処理装置１０の制御部１２で実行することにより実現されている。このプログラムは、例えば、ＣＤ−ＲＯＭ、ＤＶＤ−ＲＯＭなどのコンピュータ可読な情報記憶媒体を介して、あるいは、インターネットなどの通信手段を介して情報処理装置１０に供給される。
【００２０】
情報記憶部２０には、本実施形態では、例えば、予め、図３に例示する基本展開図情報３０、図４及び図５に例示する応用展開図情報３２（図４は、第１応用展開図情報３２−１の一例を示す図であり、図５は、第２応用展開図情報３２−２の一例を示す図である。）、図６に例示する基準画像３４、図７に例示する配置変換規則情報３６、が記憶されている。
【００２１】
図３に例示する基本展開図情報３０や、図４及び図５に例示する応用展開図情報３２は、例えば、展開図を表す情報である。そして、図６に例示する基準画像３４は、例えば、基本展開図情報３０が表す展開図に配置される画像である。
【００２２】
基本展開図情報３０が表す展開図には、基本展開図情報３０が表す展開図内において基準画像３４が配置される領域である基準領域３８が設定されている。そして、本実施形態では、基準領域３８において基準画像３４が配置される位置は、予め定められている。そして、応用展開図情報３２が表す展開図には、応用展開図情報３２が表す展開図内において、例えば、基準画像３４を変換した画像である変換画像４０（図９及び図１０参照）が配置される領域である配置領域４２が設定されている。
【００２３】
本実施形態では、基準領域３８は、基本展開図情報３０が表す展開図を構成する面が占める領域に対応しており、その面が占める領域よりも予め定められた大きさだけ大きな領域となっている。また、本実施形態では、配置領域４２は、応用展開図情報３２が表す展開図を構成する面が占める領域に対応しており、その面が占める領域よりも予め定められた大きさだけ大きな領域となっている。
【００２４】
図７に例示する配置変換規則情報３６は、例えば、基準画像３４の変換規則や、基準画像３４を変換した変換画像４０の配置領域４２への配置規則を示す情報であり、配置変換規則情報３６の識別子である配置変換規則情報識別子、基本展開図情報３０が表す展開図に含まれる面のうちの、基準領域３８に対応する面の識別子である基準領域面識別子、応用展開図情報３２が表す展開図に含まれる面のうちの、配置領域４２に対応する面の識別子である配置領域面識別子、配置領域４２の縦方向についての基準画像３４の変換規則を示す縦配置情報、配置領域４２の横方向についての基準画像３４の変換規則を示す横配置情報、基準画像３４を配置領域４２に配置する向きを示す配置向き情報、基準画像３４を変換して変換画像４０を生成した後にその変換画像４０に対してマスク処理を実行するか否かを示すマスクフラグ情報（とり得る値は、例えば、「Ｙ」、または、「Ｎ」である。）、を含んでいる。本実施形態に係る配置変換規則情報３６に含まれる配置向き情報は、例えば、正対した位置に対する画像の回転角度（時計回り）が示されている。
【００２５】
取得部２２は、本実施形態では、例えば、情報記憶部２０に記憶されている基本展開図情報３０、応用展開図情報３２、基準画像３４、及び、配置変換規則情報３６を取得する。
【００２６】
画像変換部２４は、本実施形態では、例えば、基準画像３４の複製を生成して、この生成された複製を、配置変換規則情報３６が示す変換規則に従って変換して、変換画像４０を生成する。画像変換部２４は、例えば、配置変換規則情報３６に含まれる縦配置情報（あるいは、横配置情報）の値が、「フィット」である場合は、基準領域３８の縦（あるいは、横）の長さに対する、配置領域４２の縦（あるいは、横）の長さの比率（拡大率又は縮小率）で、基準画像３４を拡大又は縮小することにより、基準画像３４の大きさを変更する。また、画像変換部２４は、例えば、配置変換規則情報３６に含まれる向き情報が表す回転角度だけ時計回りに基準画像３４を回転させる。なお、画像変換部２４が、基準画像３４の複製を変換しないこともあり得る。この場合は、変換画像４０は、基準画像３４と同一の画像となる。
【００２７】
画像配置部２６は、本実施形態では、例えば、配置変換規則情報３６が示す配置規則に従って、変換画像４０を配置領域４２に配置する。画像変換部２４は、例えば、配置変換規則情報３６に含まれる縦配置情報（あるいは、横配置情報）の値が、「センタリング」である場合は、変換画像４０の縦（あるいは、横）の長さは変更せずに、変換画像４０の縦方向（あるいは、横方向）における中心軸の位置が、配置領域４２の縦方向（あるいは、横方向）における中心軸の位置に一致するよう、変換画像４０を配置領域４２に配置する。画像変換部２４は、例えば、配置変換規則情報３６に含まれる縦配置情報の値が「下揃え」（あるいは、「上揃え」）である場合は、変換画像４０の縦の長さは変更せずに、配置領域４２の下辺（あるいは、上辺）が、変換画像４０に対応する基準画像３４が配置される基準領域３８の下辺（あるいは、上辺）に一致するよう、変換画像４０を配置領域４２に配置する。画像変換部２４は、例えば、配置変換規則情報３６に含まれる横配置情報の値が「左揃え」（あるいは、「右揃え」）である場合は、変換画像４０の横の長さは変更せずに、配置領域４２の左辺（あるいは、右辺）が、変換画像４０に対応する基準画像３４が配置される基準領域３８の左辺（あるいは、右辺）に一致するよう、変換画像４０を配置領域４２に配置する。
【００２８】
そして、画像変換部２４は、例えば、配置変換規則情報３６に含まれるマスクフラグ情報の値が「Ｙ」である場合は、画像配置部２６により変換画像４０が配置領域４２に配置された後に、配置領域４２からはみ出る、変換画像４０の少なくとも一部を消去するマスク処理を実行する。
【００２９】
展開図情報出力部２８は、本実施形態では、例えば、基準領域３８に基準画像３４が配置された展開図を表す、配置済基本展開図情報４４（図８参照）を情報記憶部２０に出力する。図８は、図３に例示する基本展開図情報３０が表す展開図内の基準領域３８に、基準画像３４が配置された展開図を表す、配置済基本展開図情報４４の一例を示す図である。
【００３０】
また、展開図情報出力部２８は、本実施形態では、例えば、配置領域４２に変換画像４０が配置された展開図を表す配置済応用展開図情報４６を情報記憶部２０に出力する（図９及び図１０参照）。図９は、図４に例示する第１応用展開図情報３２−１が表す展開図内の配置領域４２に変換画像４０が配置された配置済応用展開図情報４６である第１配置済応用展開図情報４６−１の一例を示す図である。図９の例では、基準領域３８の縦（あるいは、横）の長さに対する、配置領域４２の縦（あるいは、横）の長さの比率（拡大率又は縮小率）で、基準画像３４を拡大又は縮小することにより、生成された変換画像４０が配置領域４２に配置されている。図１０は、図５に例示する第２応用展開図情報３２−２が表す展開図内の配置領域４２に変換画像４０が配置された配置済応用展開図情報４６である第２配置済応用展開図情報４６−２の一例を示す図である。図１０の例では、変換画像４０の縦方向における中心軸の位置が、配置領域４２の縦方向における中心軸の位置に一致し、変換画像４０の横方向における中心軸の位置が、配置領域４２の横方向における中心軸の位置に一致するよう、変換画像４０が配置領域４２に配置されている。そして、図１０の例では、変換画像４０の一部は、配置領域４２からはみ出ている。
【００３１】
このように、本実施形態では、例えば、第１応用展開図情報３２−１が表す展開図内の配置領域４２に変換画像４０を配置する際における基準画像３４の変換規則と、第２応用展開図情報３２−２が表す展開図内の配置領域４２に変換画像４０を配置する際における基準画像３４の変換規則と、は異なっている。また、本実施形態では、例えば、第１応用展開図情報３２−１が表す展開図内の配置領域４２に変換画像４０を配置する際における変換画像４０の配置規則と、第２応用展開図情報３２−２が表す展開図内の配置領域４２に変換画像４０を配置する際における変換画像４０の配置規則と、は異なっている。
【００３２】
ここで、図１１を参照しながら、変換画像４０が配置領域４２に配置される様子の一例を説明する。図１１は、変換画像４０が配置領域４２に配置される様子の一例を模式的に示す図である。図１１には、基準画像３４と、それぞれ異なる配置変換規則情報３６に従って基準画像３４が変換されることにより生成された３つの変換画像４０（第１変換画像４０−１、第２変換画像４０−２、及び、第３変換画像４０−３）と、が例示されている。また、図１１には、各変換画像４０が配置領域４２に配置されている様子の一例も示されている。図１１の例では、第１配置領域４２−１に第１変換画像４０−１が配置されており、第２配置領域４２−２に第２変換画像４０−２が配置されており、第３配置領域４２−３に第３変換画像４０−３が配置されている。
【００３３】
第１変換画像４０−１は、例えば、図７に例示する、配置変換規則情報識別子の値が「ａ−０１」である配置変換規則情報３６により変換された基準画像３４に対応している。図１１の例では、対応する配置変換規則情報３６に含まれる縦配置情報の値及び横配置情報の値が、「フィット」であることに基づいて、第１変換画像４０−１は、基準領域３８の縦の長さに対する、第１配置領域４２−１の縦の長さの比率（拡大率又は縮小率）で、基準画像３４を縦に拡大又は縮小し、基準領域３８の横の長さに対する、第１配置領域４２−１の横の長さの比率（拡大率又は縮小率）で、基準画像３４を横に拡大又は縮小した画像となっている。
【００３４】
第２変換画像４０−２は、例えば、図７に例示する、配置変換規則情報識別子の値が「ｂ−０４」である配置変換規則情報３６により変換された基準画像３４に対応している。図１１の例では、対応する配置変換規則情報３６に含まれる縦配置情報の値が「下揃え」であることに基づいて、第２配置領域４２−２の下辺が、第２変換画像４０−２に対応する基準画像３４が配置される基準領域３８の下辺に一致するよう、第２変換画像４０−２が第２配置領域４２−２に配置されている。また、図１１の例では、対応する配置変換規則情報３６に含まれる横配置情報の値が「センタリング」であることに基づいて、第２変換画像４０−２の横方向の中心軸の位置が、第２配置領域４２−２の横方向の中心軸の位置に一致している。また、図１１の例では、対応する配置変換規則情報３６に含まれる配置向き情報の値が「１８０°」であることに基づいて、第２変換画像４０−２は、基準画像３４を時計回りに１８０度回転した画像となっている。そして、図１１の例では、対応する配置変換規則情報３６に含まれるマスクフラグ情報の値が「Ｎ」であることに基づいて、第２変換画像４０−２の一部は、第２配置領域４２−２からはみ出ている。なお、図１１の例では、第２変換画像４０−２の縦の長さは、基準画像３４の縦の長さのまま変化しておらず、第２変換画像４０−２の横の長さは、基準画像３４の横の長さのまま変化していない。
【００３５】
第３変換画像４０−３は、例えば、図７に例示する、配置変換規則情報識別子の値が「ｃ−１０」である配置変換規則情報３６により変換された基準画像３４に対応している。図１１の例では、対応する配置変換規則情報３６に含まれる縦配置情報の値が「上揃え」であることに基づいて、第３配置領域４２−３の上辺が、第３変換画像４０−３に対応する基準画像３４が配置される基準領域３８の上辺に一致している。また、図１１の例では、対応する配置変換規則情報３６に含まれる横配置情報の値が「左揃え」であることに基づいて、第３配置領域４２−３の左辺が、第３変換画像４０−３に対応する基準画像３４が配置される基準領域３８に一致している。また、図１１の例では、対応する配置変換規則情報３６に含まれるマスクフラグ情報の値が「Ｙ」であることに基づいて、第３配置領域４２−３からはみ出る、第３変換画像４０−３の一部が消去されている。
【００３６】
なお、本発明は上述の実施形態に限定されるものではない。
【００３７】
例えば、配置変換規則情報３６が示す変換規則や配置規則は、上述の実施形態には限定されない。例えば、配置変換規則情報３６が、変換画像４０の、基準画像３４に対する拡大率や縮小率を含んでいてもよい。また、配置変換規則情報３６が、変換画像４０が配置領域４２に配置される向き（例えば、上、下、左、右など）を含んでいてもよい。
【００３８】
また、配置変換規則情報３６が、変換画像４０が配置される配置領域４２内における位置を含んでいてもよい。配置変換規則情報３６は、具体的には、例えば、絶対座標（例えば、配置領域４２のいずれかの端を原点とした場合における変換画像４０が配置される位置の絶対座標）や、相対座標（例えば、配置領域４２の横の長さに対する、変換画像４０が配置される位置の配置領域４２の左辺からの長さの割合と、配置領域４２の縦の長さに対する、変換画像４０が配置される位置の配置領域４２の下辺からの長さの割合と、の組合せ）などを示していてもよい。
【００３９】
また、例えば、基準画像３４が複数の画像（以下、部分基準画像４８と呼ぶ。）を含んで構成されていてもよい（図１２参照）。そして、画像変換部２４が、各部分基準画像４８について、その部分基準画像４８に対応する変換規則に従った変換を行って、部分変換画像５０を生成するようにしてもよい（図１３参照）。そして、画像配置部２６が、各部分変換画像５０について、その部分変換画像５０に対応する配置規則に従って、部分変換画像５０を配置領域４２に配置するようにしてもよい。
【００４０】
図１２は、複数の部分基準画像４８（顔型の部分基準画像４８及びハート型の部分基準画像４８）から構成される基準画像３４の一例を示す図である。図１３は、図１２に例示する基準画像３４を変換して生成された変換画像４０の一例を示す図である。図１３に例示する変換画像４０は、それぞれが部分基準画像４８に対応する複数の部分変換画像５０を含んで構成されている。
【００４１】
そして、この場合、配置変換規則情報３６が、例えば、部分基準画像４８毎に異なる変換規則や配置規則を示していてもよい。具体的には、例えば、配置変換規則情報３６が、部分変換画像５０の縦及び横の長さは変更せずに、部分変換画像５０の縦方向における中心軸の位置が、配置領域４２の縦方向における中心軸の位置に一致し、部分変換画像５０の横方向における中心軸の位置が、配置領域４２の横方向における中心軸の位置に一致するよう、顔型の部分基準画像４８に対応する部分変換画像５０を配置領域４２に配置するという規則を示していてもよい。そして、画像配置部２６が、図１３に例示するように、この配置変換規則情報３６が示す配置規則に従って、顔型の部分基準画像４８に対応する部分変換画像５０を配置領域４２に配置するようにしてもよい。
【００４２】
また、配置変換規則情報３６が、ハート型の部分基準画像４８に対応する部分変換画像５０が配置される、配置領域４２の右下端からの相対位置を示していてもよい。そして、画像配置部２６が、図１３に例示するように、配置変換規則情報３６が示す配置領域４２内の位置にハート型の部分基準画像４８に対応する部分変換画像５０を配置するようにしてもよい。
【００４３】
また、例えば、情報処理装置１０が、利用者からの要求に応じて、基準領域３８内における基準画像３４の形状や位置を変更するようにしてもよい。そして、情報処理装置１０が、この位置の変更に応じて、配置領域４２内における変換画像４０の形状や位置を変更するようにしてもよい。
【００４４】
また、例えば、展開図情報出力部２８が、配置済基本展開図情報４４が表す展開図と、配置済応用展開図情報４６が表す展開図と、を重ねてディスプレイ等のＵＩ部１６に表示出力するようにしてもよい。この場合、配置済基本展開図情報４４が表す展開図、又は、配置済応用展開図情報４６が表す展開図の一方を半透明にして表示出力してもよい。
【００４５】
なお、上述の具体的な数値や文字列は例示であり、これらの数値や文字列には限定されない。
【符号の説明】
【００４６】
１０  情報処理装置、１２  制御部、１４  記憶部、１６  ユーザインタフェース（ＵＩ）部、２０  情報記憶部、２２  取得部、２４  画像変換部、２６  画像配置部、２８  展開図情報出力部、３０  基本展開図情報、３２  応用展開図情報、３４  基準画像、３６  配置変換規則情報、３８  基準領域、４０  変換画像、４２  配置領域、４４  配置済基本展開図情報、４６  配置済応用展開図情報、４８  部分基準画像、５０  部分変換画像。
【図１】
0005655422.tif 000002
【図２】
0005655422.tif 000003
【図３】
0005655422.tif 000004
【図４】
0005655422.tif 000005
【図５】
0005655422.tif 000006
【図６】
0005655422.tif 000007
【図７】
0005655422.tif 000008
【図８】
0005655422.tif 000009
【図９】
0005655422.tif 000010
【図１０】
0005655422.tif 000011
【図１１】
0005655422.tif 000012
【図１２】
0005655422.tif 000013
【図１３】
0005655422.tif 000014